(57)【要約】【課題】角部で手を怪我することを防止することができる包装用袋を提供する。【解決手段】上端縁６に上溶着部８を設け、下端縁10に下溶着部12を設け、上端縁寄りの中間高さ位置に中間溶着帯部13を設け、ファスナＦが、中間溶着帯部13と下溶着部12との間に配設され、中間溶着帯部13と下溶着部12との間を品物Ｐを収容する品物収納部14とし、上溶着部８と中間溶着帯部13の間をヘッダー部15とし、ヘッダー部15に、陳列棚のフックＨへ吊り下げる吊下孔16を設けた全体が矩形状の包装用袋に於て、矩形状の４つの角部92をアール形状Ｒとする。中間溶着帯部13の上下方向中央位置に対応して中間溶着帯部13の左右各端17に、相互に凸状に接近する２つのアール形状Ｒから成るノッチ20を形成して、ノッチ20から中間溶着帯部13にて品物収納部14を切離し可能に構成する。【選択図】図１
2016078904.tif 000002
【特許請求の範囲】
【請求項１】
フィルム（96）を重ね、一側端縁（５）に、雄型ファスナ部（Ｆａ）と雌型ファスナ部（Ｆｂ）とから成るファスナ（Ｆ）を構成し、該ファスナ（Ｆ）を開閉自在とするスライダ（３）を上記ファスナ（Ｆ）に付設し、
上端縁（６）に上溶着部（８）を設け、下端縁（10）に下溶着部（12）を設け、上端縁寄りの中間高さ位置に中間溶着帯部（13）を設け、上記ファスナ（Ｆ）が、上記中間溶着帯部（13）と下溶着部（12）との間に配設され、上記中間溶着帯部（13）と下溶着部（12）との間を品物（Ｐ）を収容する品物収納部（14）とし、上記上溶着部（８）と中間溶着帯部（13）の間をヘッダー部（15）とし、該ヘッダー部（15）に、陳列棚のフック（Ｈ）へ吊り下げる吊下孔（16）を設けた全体が矩形状の包装用袋に於て、
上記矩形状の４つの角部（92）をアール形状（Ｒ）とすると共に、上記中間溶着帯部（13）の左右各端（17）に、相互に接近する２つのアール凸部 (100)(100) から成る楔状ノッチ（20）を設け、該ノッチ（20）から上記中間溶着帯部（13）にて上記品物収納部（14）を切離し可能に構成したことを特徴とする包装用袋。
【発明の詳細な説明】
【技術分野】
【０００１】
本発明は、包装用袋に関する。
【背景技術】
【０００２】
従来の包装用袋として、プラスチックフィルムの袋を密閉するためのファスナを備えたものが公知である（例えば、特許文献１参照）。このような包装用袋の一種として、販売時においては商品を収納して陳列棚のフックに吊下げ可能であるとともに、後に、吊下孔が形成されたヘッダー部を切り離して、ファスナを有する商品収納ケースとして使用可能な包装用袋も知られている。
【０００３】
しかし、矩形状の４つの角部が角張っているので、手を怪我する虞れがあった。また、鋏で切断する際、切断予定の溶着帯部の端部を正確に切り始めることが難しく、切り始めに溶着帯部の端部から外れた点から切り始めると、商品収納ケースとして使用不可となる場合があった。また、切り離した商品収納ケースは、２つの角部が角張って、怪我する虞れがあった。
【先行技術文献】
【特許文献】
【０００４】
【特許文献１】実開平４−７７９３５号公報
【発明の概要】
【発明が解決しようとする課題】
【０００５】
解決しようとする課題は、角部で手を怪我する虞れがある点である。また、鋏で切断する際、切断位置が誘導のための形状を有しておらず、切り始めに誤った位置を切断してしまう虞れがある点である。
【課題を解決するための手段】
【０００６】
そこで、本発明に係る包装用袋は、フィルムを重ね、一側端縁に、雄型ファスナ部と雌型ファスナ部とから成るファスナを構成し、該ファスナを開閉自在とするスライダを上記ファスナに付設し、上端縁に上溶着部を設け、下端縁に下溶着部を設け、上端縁寄りの中間高さ位置に中間溶着帯部を設け、上記ファスナが、上記中間溶着帯部と下溶着部との間に配設され、上記中間溶着帯部と下溶着部との間を品物を収容する品物収納部とし、上記上溶着部と中間溶着帯部の間をヘッダー部とし、該ヘッダー部に、陳列棚のフックへ吊り下げる吊下孔を設けた全体が矩形状の包装用袋に於て、上記矩形状の４つの角部をアール形状とすると共に、上記中間溶着帯部の左右各端に、相互に接近する２つのアール凸部から成る楔状ノッチを設け、該ノッチから上記中間溶着帯部にて上記品物収納部を切離し可能に構成したものである。
【発明の効果】
【０００７】
本発明の包装用袋によれば、ヘッダー部の切離し前の４つの角部も、ヘッダー部の切離し後の（商品収納部の）４つの角部も、全てアール形状であり、角部で手を怪我することを防止することができ安全性が確保される。また、切り始めにノッチによって鋏が誘導されて、スムーズ・迅速に、正しい位置を切断することができる。また、鋏の切り始め（始点）が薄く、かつ、上記ノッチによって誘導されるため、容易に切り始めることができる。
【図面の簡単な説明】
【０００８】
【図１】本発明の実施の一形態を示す斜視図である。
【図２】実施の一形態を示す図であって、（Ａ）は正面図、（Ｂ）は要部拡大図である。
【図３】基準姿勢を示す正面図である。
【図４】作用を説明するための要部断面図である。
【図５】スライダの底面図である。
【図６】図５のＡ―Ａ断面図である。
【図７】ファスナ開走行側から見たスライダの半截断面図である。
【図８】ファスナ閉走行側から見たスライダの半截断面図である。
【図９】狭窄路の断面図である。
【図１０】膨出部の作用を説明するための要部拡大断面図である。
【図１１】比較例を説明するための要部断面図である。
【発明を実施するための形態】
【０００９】
以下、図示の実施の形態に基づいて本発明を詳説する。
図１・図２は、本発明の第１の実施の形態を示す。この包装用袋は、全体が矩形状である。上端縁６寄りに吊下孔16が設けられ、陳列棚のフックＨを吊下孔16に挿通させて吊り下げることができる。
【００１０】
１枚のフィルム96が折曲げて重ねられ（すなわち、一方の袋壁部98と他方の袋壁部99が重ねられ）、一側端縁５に、雄型ファスナ部Ｆａと雌型ファスナ部Ｆｂとから成るファスナＦが構成される。ファスナＦを開閉自在とするスライダ３がファスナＦに付設される。スライダ３は、嵌合状態の雄型ファスナ部Ｆａと雌型ファスナ部Ｆｂを分離させるための分離用突起部11（図４〜図７・図10参照）を有する。
【００１１】
上端縁６に上溶着部８を設け、下端縁10に下溶着部12を設け、上端縁６寄りの中間高さ位置に中間溶着帯部13を設ける。ファスナＦが、中間溶着帯部13と下溶着部12との間に配設され、中間溶着帯部13と下溶着部12との間が品物Ｐを収容する品物収納部14とされる。
【００１２】
上溶着部８と中間溶着帯部13の間をヘッダー部15とし、ヘッダー部15に、陳列棚のフックＨへ吊り下げる吊下孔16を設ける。
【００１３】
矩形状の４つの角部92をアール形状Ｒとすると共に、中間溶着帯部13の左右各端17に、相互に接近する２つのアール凸部100，100から成る楔状ノッチ20を設け、鋏Ｅでノッチ20から中間溶着帯部13にて品物収納部14を切離し可能に構成する。図３は、品物収納部14を切離した後の状態（袋体９）を示す。
【００１４】
以下、図３〜図10に於て、袋体９の開口部９ａが上方開口状となるように袋体９の両袋壁部98，99を鉛直面状に保持した姿勢を基準姿勢とし、その基準姿勢において、鉛直方向を上下方向Ｔと呼び、雄型ファスナ部Ｆａと雌型ファスナ部Ｆｂが嵌合・分離する方向（開口部９ａの開閉方向）を左右方向Ｗと呼び、ファスナ長手方向Ｎを前後方向Ｎと呼び、ファスナ閉走行側Ｎａ（走行によりファスナＦが閉じる方向）を前方側Ｎａと呼び、ファスナ開走行側Ｎｂ（走行によりファスナＦが開く方向）を後方側Ｎｂと呼んで説明する。したがって、方向を基に、使用状態の姿勢を限定するものではない。
【００１５】
図３及び図４に示すように、袋体９には、ファスナＦの開放終端部７よりも所定小寸法Ｓ手前に過大スライドを防止するストッパ部97を付設している。言い換えると、ファスナ開走行側Ｎｂ側の側縁部９ｂの上端部91の上部内側縁91ｅよりもファスナ閉走行側Ｎａに、スライダ３の分離用突起部11がファスナ開走行側Ｎｂへ移動するのを阻止してスライダ３のファスナ開走行側Ｎｂへの過大スライドを防止するストッパ部97を有している。
【００１６】
ストッパ部97は、一方の袋壁部98及び雄型ファスナ部Ｆａと、他方の袋壁部99及び雌型ファスナ部Ｆｂと、を小長円スポット状に密着一体化させた溶着部位によって形成している。
より具体的には、嵌合状態の雄型ファスナ部Ｆａと雌型ファスナ部Ｆｂの下部（袋内部90側）を溶着したファスナ溶着部位、及び、そのファスナ溶着部位の下方位置（ファスナＦの近傍かつファスナＦよりも袋内部90側）で、一方の袋壁部98と他方の袋壁部99とを溶着した袋壁部溶着部位である。
また、ストッパ部97の上方位置を非溶着（ストッパ部97を溶着にて形成する際に、嵌合状態の雄型ファスナ部Ｆａと雌型ファスナ部Ｆｂの上部を非溶着とし、ファスナＦよりも袋外方側の両袋壁部98，99を非溶着）とすることで、後述の小突起26は、ストッパ部97の上方位置を通過可能である。
【００１７】
スライダ３の分離用突起部11によるファスナＦの分離をストッパ部97が阻止することで（溶着によりファスナ嵌合状態を保持することで）、或いは、ストッパ部97に分離用突起部11が当接することで、スライダ３の分離用突起部11がストッパ部97よりもファスナ開走行側Ｎｂへ移動するのを阻止する。
【００１８】
また、平面視で、開走行するスライダ３の開走行先端面３ｂが一側縁部９ｂ（の袋外縁）よりも袋外方へ突出するよりも先に、ストッパ部97によって分離用突起部11がファスナ開走行側Ｎｂへ移動するのを阻止するように、ストッパ部97を配設している。
【００１９】
また、所定小寸法Ｓとは、スライダ３の長手方向寸法（スライダ全長）Ｌと略等しい寸法であって、より具体的には、スライダ全長Ｌの６０％以上１５０％以下である。
また、スライダ３のファスナ開走行移動がストッパ部97によって阻止された状態（図４参照）で、スライダ３が平面視（上方向から見て）、袋体９の上部内側縁91ｅと、スライダ３の開走行先端面３ｂと、の間に隙間が形成されないように、ストッパ部97を配設するのが、美観を得て、望ましい。
【００２０】
図11に示す比較例のように、ストッパ部97を設けていないと、スライダ３の開走行先端面３ｂが、一側縁部９ｂの上端部91を乗り越えて、一側縁部９ｂ（の袋外縁）よりも袋外方側に突出するような過大スライド（オーバーラン）や離脱が発生する虞れがある。
また、ストッパ部97を設けることで、スライダ３の過大スライドや離脱の虞れを考慮せずに、角部92のアール形状Ｒの円弧長の長さや半径を自由に（大きく）設定できる。
【００２１】
次に、図５乃至図８に示すように、スライダ３は、分離用突起部11をファスナ閉走行側Ｎａに有する樹脂製の第１部材１と、分離状態の雄型ファスナ部Ｆａと雌型ファスナ部Ｆｂとを嵌合させるための狭窄路21をファスナ開走行側Ｎｂに有する樹脂製の第２部材２と、を嵌合して、一体化している（組立一体化構造品としている）。
【００２２】
第１部材１は、袋体９に取着した状態で、開口部９ａの上方側（袋外方側）Ｔａに配設される第１天井壁部19と、第１天井壁部19によって連結された左右一対の第１両側壁部18，18と、第１天井壁部19の前部の下面かつ左右中央位置から下方側（袋内部90側）Ｔｂへ突出して嵌合状態の雄型ファスナ部Ｆａと雌型ファスナ部Ｆｂを分離させるための分離用突起部11と、を有している。第１両側壁部18，18の後部に左右内方へ突出する嵌合爪部18ａ，18ａを有している。
【００２３】
第２部材２は、袋取着状態で袋体９の開口部９ａの上方側Ｔａに配設される第２天井壁部29と、第２天井壁部29の左右両側縁部夫々から所定寸法左右内方側の位置で第２天井壁部29から下方へ突出する左右一対の第２両側壁部28，28と、第２両側壁部28，28の下方端の夫々に連結され、袋体９の開口部９ａが差し込まれるスリット22を形成する左右一対の底壁部27，27と、を有している。また、第２部材２の第２両側壁部28，28は、第１部材１の嵌合爪部18ａ，18ａが嵌合（係合）する引掛用の段差部28ａ，28ａを有している。
【００２４】
さらに、第２部材２は、第２天井壁部29の下面と、第２両側壁部28，28の内側面と、両底壁部27，27の左右内側縁部の上面27ａと、で形成され（包囲され）分離状態の雄型ファスナ部Ｆａと雌型ファスナ部Ｆｂを嵌合させるための狭窄路21を有している。
また、両底壁部27，27の左右内側面で形成され、前方へ向かうにつれてスリット幅が拡大する前方拡大形状のスリット22を有している。
また、第２天井壁部29の左右側縁部の下面と、第２両側壁部28，28の左右外側面と、両底壁部27，27の左右外側縁部の上面27ｂと、によって形成され左右外方に開口する（前後方向Ｎに沿った）嵌合用の凹溝23を左右一対に有している。
【００２５】
第１部材１と第２部材２は、前後方向Ｎに相互に接近することで、第１部材１の第１両側壁部18，18の後方突出状片部位が、第２部材２の嵌合用の凹溝23，23に差し込まれ、嵌合爪部18ａが段差部28ａに嵌合（係合）して一体化し、平面視及び側面視矩形状（直方体状）のブロック型のスライダ３を形成する。
このような構造は、ファスナＦの両端部が（両側縁部９ｂ，９ｃの上端部91が）溶着されて閉じた後であっても、ファスナＦに第１部材１と第２部材２を夫々跨ぐように取着した後、前後方向Ｎに相互に接近することで容易に取着できる。
【００２６】
スライダ３は、第１天井壁部19と第２天井壁部29が一枚板状（面一状）に密着して（接続して）形成される上壁部と、第１両側壁部18，18と第２両側壁部28，28が嵌合して形成される両側壁部と、第２部材２の両底壁部27，27によって形成される下壁部と、その下壁部によって形成され一方の袋壁部98及び他方の袋壁部99が挿通するスリット22と、を有している。そして、前方内部に分離用突起部11と、その分離用突起部11によって区分けされる雄条部挿通路と雌条部挿通路と、前後中間内部に形成される合流路と、後方内部の狭窄路21と、を有する平面視Ｙ字状のファスナ通過路を有している。
【００２７】
さらに、第１部材１の分離用突起部11は、第１天井壁部19の下面から下方側Ｔｂへ突出して雄型ファスナ部Ｆａと雌型ファスナ部Ｆｂの間に割り込むための柱部11ａを有し、柱部11ａの下部に、左右両側に係止面11ｄ，11ｄを形成する膨出部11ｃを有している。
係止面11ｄ，11ｄは、袋取着状態で、雄型ファスナ部Ｆａと雌型ファスナ部Ｆｂの下方側Ｔｂ（袋内部90側）に配設される（図４及び図10参照）。また、スリット22内の前部に配設される。
【００２８】
また、図７に示すように、ファスナ閉走行側Ｎａから見て、膨出部11ｃの左右下角部をアール形状に形成して、分離用突起部11を、上方側Ｔａから、袋体９の開口部９ａへ差し込み易くしている。
なお、柱部11ａや膨出部11ｃの平面視形状や横断面形状、平面視の位置関係は、自由である。つまり、ファスナＦの下方位置に左右両側に左右一対の係止面（鍔状部）11ｄ，11ｄを形成する形状であれば良い。
【００２９】
図８に示すように、第２部材２は、狭窄路21の天井面（第２天井壁部29の下面において狭窄路21を形成する面）21ａに下方側Ｔｂへ突出する小突起26を形成している。
図９に示すように、小突起26は、袋取着状態で、一方の袋壁部98の開口端縁95と他方の袋壁部99の開口端縁95の間（袋左右内方）に配設される。
小突起26の下端面26ａを、袋取着状態で、開口部９ａの開口端縁（開口上端縁）95，95よりも下方側ＴｂかつファスナＦの上端（雌型ファスナ部Ｆｂの上端）Ｆｄよりも上方側Ｔａとなるように設けている。ファスナＦの上端とは、図例では雌型ファスナ部Ｆｂの凹溝を形成する上壁部の上面である。
【００３０】
また、図５に示すように、狭窄路21の側面を、平面視で、前方側Ｎａへ向かうにつれて左右外方へ傾斜するように形成している。つまり、狭窄路21を平面視前方拡大形状とし、雄型ファスナ部Ｆａと雌型ファスナ部Ｆｂがスムーズに接近するように形成している。
【００３１】
スライダ３をファスナ開走行側Ｎｂへスライドさせると、図４に示すように、一側縁部９ｂの近傍でストッパ部97にて分離用突起部11の移動が阻止されると共に、ストッパ部97の上方位置を通過した小突起26が一側縁部９ｂの上端部91（ファスナ上方位置かつファスナ近傍の上部内側縁91ｅ）に当接して移動が阻止される。
スライダ３の開走行先頭部が、袋体９の一側縁部９ｂの上端部91に大きく乗り上げるような、或いは、スライダ３の開走行先端面３ｂが一側縁部９ｂから袋外方側に突出するような過大スライド（オーバーラン）や乗り越えて離脱するのを阻止する。
【００３２】
また、ファスナＦを開閉操作する際や、袋体９を把持する際に、スライダ３を上方へ持ち上げるような過剰な引抜き力が付与された場合に、図10に点線で示すように、左右の係止面11ｄ，11ｄが夫々、雄型ファスナ部Ｆａと雌型ファスナ部Ｆｂが下方へ抜けるのを阻止するように引っ掛かる。つまり、袋体９の開口部９ａ（ファスナＦ）からスライダ３が上方側Ｔａへ離脱するのを防止する。
【００３３】
なお、本発明は、設計変更可能であって、例えば、２枚のフィルム96を重ねて（一方の袋壁部98と他方の袋壁部99を別体として）、溶着により袋状としても良い。また、図示省略するが第１部材１と第２部材２とを、上下方向Ｔに嵌合する構造とするも良い。第１部材１と第２部材２は、凸部と凹部、或いは、突起部と孔部の嵌合にて一体化する構造とするも良い。膨出部11ｃや小突起26を省略しても良い。
【００３４】
以上のように、本発明は、フィルム96を重ね、一側端縁５に、雄型ファスナ部Ｆａと雌型ファスナ部Ｆｂとから成るファスナＦを構成し、該ファスナＦを開閉自在とするスライダ３を上記ファスナＦに付設し、上端縁６に上溶着部８を設け、下端縁10に下溶着部12を設け、上端縁寄りの中間高さ位置に中間溶着帯部13を設け、上記ファスナＦが、上記中間溶着帯部13と下溶着部12との間に配設され、上記中間溶着帯部13と下溶着部12との間を品物Ｐを収容する品物収納部14とし、上記上溶着部８と中間溶着帯部13の間をヘッダー部15とし、該ヘッダー部15に、陳列棚のフックＨへ吊り下げる吊下孔16を設けた全体が矩形状の包装用袋に於て、上記矩形状の４つの角部92をアール形状Ｒとすると共に、上記中間溶着帯部13の左右各端17に、相互に接近する２つのアール凸部100，100から成る楔状ノッチ20を設け、該ノッチ20から上記中間溶着帯部13にて上記品物収納部14を切離し可能に構成したので、ヘッダー部15の切離し前の４つの角部92も、ヘッダー部15の切離し後の（商品収納部の）４つの角部も、全てアール形状Ｒであり、角部で手を怪我することを防止することができ安全性が確保される。また、切り始めにノッチ20によって鋏Ｅが誘導されて、スムーズ・迅速に、正しい位置を切断することができる。また、鋏Ｅの切り始め（始点）が薄く、かつ、上記ノッチ20によって誘導されるため、容易に切り始めることができる。
【符号の説明】
【００３５】
５  一側端縁
６  上端縁
８  上溶着部
10  下端縁
12  下溶着部
13  中間溶着帯部
14  品物収納部
15  ヘッダー部
16  吊下孔
17  左右各端
20  ノッチ
92  角部
96  フィルム
100  アール凸部
Ｆ  ファスナ
Ｆａ  雄型ファスナ部
Ｆｂ  雌型ファスナ部
Ｈ  フック
Ｐ  品物
Ｒ  アール形状
【図１】
2016078904.tif 000003
【図２】
2016078904.tif 000004
【図３】
2016078904.tif 000005
【図４】
2016078904.tif 000006
【図５】
2016078904.tif 000007
【図６】
2016078904.tif 000008
【図７】
2016078904.tif 000009
【図８】
2016078904.tif 000010
【図９】
2016078904.tif 000011
【図１０】
2016078904.tif 000012
【図１１】
2016078904.tif 000013